(57)【要約】【課題】簡単に取り付けができるようにする。【解決手段】直列ユニット１０と，アウトレットボックス２０とを備えるようにテレビ信号引込み具１が構成されている。前記アウトレットボックスは，その外部と内部を接続して信号を入出力するために，前記アウトレットボックスの側辺に設けられた外部信号入出力端子２２，２５と，当該信号入出力端子と前記アウトレットボックス内部において接続して信号を入出力するための接内部信号入出力端子２３，２６と，からなる一対の信号入出力端子を，１組若しくは２組備えている。また，前記直列ユニットは，前方側に配置したアウトレット端子１１と，直列ユニットの背面側から前記アウトレット端子の軸線に略平行な軸線方向に突出するように設けられた信号入出力端子１３，１６とを備えている。前記直列ユニットの前記信号入出力端子と前記内部信号入出力端子は夫々摺動操作によって挿抜自在に固着するように構成した。【選択図】  図５
2010239347.tif 000002
【特許請求の範囲】
【請求項１】
直列ユニットと，前方に開口部を有し内部には前記直列ユニットを収納するように構成された箱体からなるアウトレットボックスと，を備えてなるテレビ信号引込み具において，
前記アウトレットボックスは，前記箱体の外部と内部を接続して信号を入出力するために，前記箱体の側辺から外方向に突出するように設けられた外部信号入出力端子と，当該信号入出力端子と前記箱体内部において接続して信号を入出力するための接栓であって，その軸線が前記開口部がなす平面に直交する方向に前記箱体の背面側から前記開口部に向かって突出するように設けられた内部信号入出力端子と，からなる一対の信号入出力端子を，１組若しくは２組備えており，
また，前記直列ユニットは，前方側に配置したアウトレット端子と，直列ユニットの背面側から前記アウトレット端子の軸線に略平行な軸線方向に突出するように設けられた１若しくは２つの信号入出力端子と，備えており，
前記直列ユニットの前記信号入出力端子の配列と，前記アウトレットボックスに設けられた前記内部信号入出力端子の配列は，相互に対応するように設けられていると共に，前記直列ユニットの前記信号入出力端子と前記内部信号入出力端子は夫々摺動操作によって挿抜自在に固着するように構成したことを特徴としたテレビ信号引込み具。
【請求項２】
前記アウトレットボックスは，当該箱体の前記開口部を閉塞すると共に前記直列ユニットのアウトレット端子を露出するように構成されたプレートを装着することができるように構成されており，しかも，前記プレートの装着に際しては，当該プレートに形成された係合手段と，前記箱体内部に備られ前記プレートに形成された係合手段に係合する係合部とを嵌合することによって行うように構成したことを特徴とした請求項１に記載のテレビ信号引込み具。
【請求項３】
前記直列ユニットは，少なくとも前記アウトレット端子を露出するように形成されたプレートを一体的に備えるように構成されており，
前記プレートの係合手段と前記アウトレットボックスに形成された係合部を係合することによって，前記直列ユニットは当該直列ユニットの信号入出力端子と前記内部信号入出力端子が接続した状態でアウトレットボックス内部に収納固定されると共に，少なくとも前記アウトレット端子を前方側に露出しながら前記アウトレットボックスの前記開口部を閉塞するように構成したことを特徴とした請求項２のテレビ信号引込み具。
【発明の詳細な説明】
【技術分野】
【０００１】
本発明は，アウトレットボックスと当該アウトレットボックスに収納する直列ユニットからなるテレビ信号引込み具に関し，詳しくは，同軸ケーブルの配線が簡単で，また直列ユニットの取り付けが容易に行うことができるテレビ信号引込み具に関する。
【背景技術】
【０００２】
従来，屋外から引き込まれた同軸ケーブルを介して伝送されてきたテレビ信号は，宅内に設置されたアウトレットボックス（若しくは，スイッチボックス。以下，アウトレットボックスを用いて説明する。）に収納された直列ユニットを介して出力されるように構成されている。具体的には，図６に良く示されているように，予め壁面内部等に配線された同軸ケーブルは，入力用同軸ケーブル３２と出力用同軸ケーブル３５として，壁面に設置されているアウトレットボックス２０の内部に引き込まれている。そして直列ユニット１０を，当該直列ユニット１０を固定するための取付枠１５に取り付けてから，前記入力用同軸ケーブル３２と前記出力用同軸ケーブル３５を，夫々に対応する直列ユニット１０の入出力端子１３及び１６と接続し，その状態で引き続きユニット本体１０ａをアウトレットボックス２０に押し込みながら，前記取付枠１５をアウトレットボックス２０に形成された，図には示されていないネジ孔に対して螺子１７を使って固定することによって，直列ユニット１０はアウトレットボックス２０に収納される。
更に，このように取付枠１５と直列ユニット１０が組み付けられたアウトレットボックス２０に対してプレート４０を組み付ける。このプレート４０はプレート枠４１とプレート本体４２から構成されており，従来技術ではプレート枠４１を螺子４５によってアウトレットボックス２０に装着してから，当該プレート枠４１に形成された嵌合孔４６に対してプレート本体４２に形成された嵌合爪４７を嵌入することで，直列ユニット１０はアウトレット端子１１を露出すると共に，プレート４０によってアウトレットボックス２０の開口部２９を閉塞した状態で取り付けが完了する。
【先行技術文献】
【特許文献】
【０００３】
【特許文献１】特開２００３−２８３９５９号公報  （図７）
【発明の概要】
【発明が解決しようとする課題】
【０００４】
ところが，上述したような同軸ケーブルの引き込みに使用されるアウトレットボックス２０は，その大きさが規格によって決められているため，内部に充分な収納空間があるわけでもないため，例えば直列ユニット１０の信号入出力端子１３及び１６と同軸ケーブル３２及び３５の接続の容易性を高めるために，アウトレットボックス２０に引き込まれている前記入力用同軸ケーブル３２と出力用同軸ケーブル３５を長くしておけば，直列ユニット１０をアウトレットボックス２０に収納する際に，前記同軸ケーブル３２及び３５が邪魔になって収納がやり難くなったり，最悪収納できずに同軸ケーブル３２若しくは３５の再加工が必要になったりと言った問題があった。また，無理に収納しても同軸ケーブル３２及び３５が有する最小曲げ半径の規格を超えて曲がり過ぎて，同軸ケーブル３２若しくは３５の伝送特性に悪影響を与えてしまうといた問題も考えられた。
また，プレート４０の装着においても，その装着は簡単に済むものの，ネジ止めがあったりプレート本体４２とプレート枠４１と言った複数の部品が必要であったり，その組付けや部品の管理が大変となるといた問題があった
といった問題があった。
そこで本願においては，前記従来技術がもっていた課題を解決するためになされたものであり，
その目的は，取り付けが簡単な直列ユニットとアウトレットボックスからなるテレビ信号引込み具を提供することにある。
他の目的は，高周波信号に対する優れた伝送特性を有した直列ユニットとアウトレットボックスからなるテレビ信号引込み具を提供することにある。
【課題を解決するための手段】
【０００５】
上記課題を解決するために，請求項１の発明は，直列ユニットと，前方に開口部を有し内部には前記直列ユニットを収納するように構成された箱体からなるアウトレットボックスと，を備えてなるテレビ信号引込み具において，
前記アウトレットボックスは，前記箱体の外部と内部を接続して信号を入出力するために，前記箱体の側辺から外方向に突出するように設けられた外部信号入出力端子と，当該信号入出力端子と前記箱体内部において接続して信号を入出力するための接栓であって，その軸線が前記開口部がなす平面に直交する方向に前記箱体の背面側から前記開口部に向かって突出するように設けられた内部信号入出力端子と，からなる一対の信号入出力端子を，１組若しくは２組備えており，
また，前記直列ユニットは，前方側に配置したアウトレット端子と，直列ユニットの背面側から前記アウトレット端子の軸線に略平行な軸線方向に突出するように設けられた１若しくは２つの信号入出力端子と，備えており，
前記直列ユニットの前記信号入出力端子の配列と，前記アウトレットボックスに設けられた前記内部信号入出力端子の配列は，相互に対応するように設けられていると共に，前記直列ユニットの前記信号入出力端子と前記内部信号入出力端子は夫々摺動操作によって挿抜自在に固着するように構成した。
【０００６】
請求項２の発明は，請求項１に記載のテレビ信号引込み具において，前記アウトレットボックスは，当該箱体の前記開口部を閉塞すると共に前記直列ユニットのアウトレット端子を露出するように構成されたプレートを装着することができるように構成されており，しかも，前記プレートの装着に際しては，当該プレートに形成された係合手段と，前記箱体内部に備えられ前記プレートに形成された係合手段に係合する係合部とを嵌合することによって行うように構成した。
【０００７】
請求項３の発明は，請求項２のテレビ信号引込み具において，前記直列ユニットは，少なくとも前記アウトレット端子を露出するように形成されたプレートを一体的に備えるように構成されており，
前記プレートの係合手段と前記アウトレットボックスに形成された係合部を係合することによって，前記直列ユニットは当該直列ユニットの信号入出力端子と前記内部信号入出力端子が接続した状態でアウトレットボックス内部に収納固定されると共に，少なくとも前記アウトレット端子を前方側に露出しながら前記アウトレットボックスの前記開口部を閉塞するように構成した。
【発明の効果】
【０００８】
請求項１の発明によれば，アウトレットボックスに対する直列ユニットの組み付けは，前記内部信号入出力端子に対して直列ユニットの信号入出力端子を夫々摺動操作によって挿入するだけの簡単な手順で行われ，このため直列ユニットはアウトレットレットボックスに対して挿抜自在に簡単且つ素早く固着することができるのである。
つまり，このテレビ信号引込み具によれば，直列ユニットはアウトレットボックスに対して簡単に取り付けができるばかりでなく，従来技術のように入力用同軸ケーブルや出力用同軸ケーブルをアウトレットボックスに収納する必要もないことから，余長ケーブルの収納に無駄な時間を要しない作業性のよさを有し，また，無理に収納することによって同軸ケーブルが有する最小曲げ半径の規格を超えて曲がり過ぎて，同軸ケーブルの伝送特性に悪影響を与えてしまうといた問題も解決できる優れた伝送特性を有したテレビ信号引込み具を提供できる。
【０００９】
請求項２の発明によれば，上記第１実施形態に比べ，プレート枠の組み付けにおいて螺子を使っての組み付けを必要としないので，更に効率よくテレビ信号引き込む具の組み付け作業を行うことができるようになる。
【００１０】
請求項２の発明によれば，直列ユニットの組み付けは，前記内部信号入出力端子に対して直列ユニット１０の信号入出力端子を夫々摺動操作によって挿入しつつ，前記プレートに形成された係止手段をアウトレットボックスに形成された係合部に係合するようにして装着するだけの簡単な手順で行われることから，上記第１及び第３実施形態に比べ極めて簡単にテレビ信号引き込む具の組み付け作業を行うことができるようになるのである。しかも取付枠等が必要ないことから部品点数の削減，延いては製品のコストダウンが図れる。
【図面の簡単な説明】
【００１１】
【図１】本発明の第１実施形態に係る直列ユニットとアウトレットボックスからなるテレビ信号引込み具の概略を示す分解斜視図であり，正面斜め右上から見た図である。
【図２】本発明の第１実施形態に係る直列ユニットとアウトレットボックスからなるテレビ信号引込み具の概略を示す分解斜視図であり，背面斜め左上から見た図である。
【図３】本発明の第１実施形態に係る直列ユニットの概略を示す斜視図でる。
【図４】本発明の第２実施形態に係る直列ユニットとアウトレットボックスからなるテレビ信号引込み具の概略を示す分解斜視図であり，正面斜め右上から見た図である。
【図５】本発明の第３実施形態に係る直列ユニットとアウトレットボックスからなるテレビ信号引込み具の概略を示す分解斜視図であり，正面斜め右上から見た図である。
【図６】従来技術の直列ユニットとアウトレットボックスからなるテレビ信号引込み具の概略を示す分解斜視図であり，正面斜め右上から見た図である。
【発明を実施するための形態】
【実施例１】
【００１２】
本発明の第１実施形態に係るテレビ信号引込み具１について図１から図３を基に説明する。この図において図１は本発明の第１実施形態に係るテレビ信号引込み具１を正面斜め右上から見た斜視図であり，図２は本発明の第１実施形態に係るテレビ信号引込み具１を背面斜め左上から見た斜視図であり，図３は本発明の実施形態に係る直列ユニット１０の斜視図である。尚，以下の説明において方向を説明する場合，特に明記しない限り図１における配置を基準とし，図１の左斜め下側が前方若しくは正面であり，図の右斜め上側が背面若しくは後方である。
本発明の第１実施形態におけるテレビ信号引込み具１は，アウトレットボックス２０と当該アウトレットボックス２０に対応した直列ユニット１０から構成されている。
前記アウトレットボックス２０は，例えば合成樹脂材等から形成されており，背面２１ａの４方を側辺２１ｂ，２１ｃ，２１ｄ，２１ｅで囲った，前方に開口部２９を有し内部に収納空間を備えた箱体２１から構成されている。
また，この箱体２１の上側の側辺２１ｂと下側の側辺２１ｃには，アウトレットボックス２０の内側と外側を接続して信号を入出力するための接栓であって，前記側辺２１ｂ及び２１ｃから外方向（上側及び下側）に突出するように設けられた外部信号入出力端子２２及び２５が周知の方法で設けられている。この第１実施形態では図の上側に位置する外部信号入出力端子２２は同軸コネクタであり，例えば図には示されていないテレビアンテナや保安器等から引き込まれた入力用同軸ケーブル３２の同軸プラグ３２ａと接続されている。また，図の下側に位置する外部信号入出力端子２５も同様に同軸コネクタから構成されており，出力用同軸ケーブル３５の同軸プラグ３５ａと接続されている。
【００１３】
更にアウトレットボックス２０内部には，前記外部信号入出力端子２２及び２５と前記箱体２１内部において接続して，夫々に対応した信号を入出力するように構成された内部信号入出力端子２３及び２６が設けられており，前記外部信号入出力端子２２から入出力する信号は前記内部信号入出力端子２３から入出力し，前記外部信号入出力端子２５から入出力する信号は前記内部信号入出力端子２６から入出力するように構成されている。
この第１実施形態における内部信号入出力端子２３及び２６は，その軸線が前記背面２１ａがなす平面に直交する方向に前記箱体２１の背面２１ａ側から前方に向かって突出するように設けられ，その形状は何れも同軸プラグである。そして，この内部信号入出力端子２３及び２６は所定の間隔となるように配列されている。
【００１４】
ここで，外部信号入出力端子と内部信号入出力端子との接続方法について詳しく説明する。具体的には本発明の第１実施形態では，外部信号入出力端子２２と内部信号入出力端子２３，及び，外部信号入出力端子２５と内部信号入出力端子２６は，夫々同軸ケーブル３４及び同軸ケーブル３７を介して接続している。この同軸ケーブル３４及び３７は，夫々背面２１ａの背面側を凹ますように形成された，外部信号入出力端子２２から内部信号入出力端子２３に到る溝部２４及び外部信号入出力端子２５から内部信号入出力端子２６に到る溝部２７の内部に沿うように夫々配線されている。
【００１５】
この溝部２４及び２７の外部信号入出力端子２２及び２５寄りには，夫々溝部２４及び２７の底部を貫通するように形成された貫通孔２４ａ及び２７ａが形成されており，当該貫通孔２４ａ及び２７ａから前記同軸ケーブル３４及び３７の一方側が箱体２１内部に引き込まれるように配線されている。そして箱体２１内部に引き込まれた前記同軸ケーブル３４及び３７の一方側は，箱体２１内部に突出している前記外部信号入出力端子２２の芯線２２ａ及び外部信号入出力端子２５の芯線２５ａと接続している。
【００１６】
また，この溝部２４及び２７の内部信号入出力端子２３及び２６寄りの背面側には，夫々前記内部信号入出力端子２３及び２６の芯線２３ａ及び２６ａが，背面２１ａの外方向に突出する空間を作るための凹部２４ｂ及び２７ｂが形成されており，当該凹部２４ｂ及び２７ｂ内部において前記同軸ケーブル２４及び３７の他方側と，前記内部信号入出力端子２３及び２６の芯線２３ａ及び２６ａとが接続されていることによって，前記外部信号入出力端子と内部信号入出力端子が夫々対になって接続される。
尚，本発明の第１実施形態では前記外部信号入出力端子（同軸コネクタ）と内部信号入出力端子（同軸プラグ）とで一対の信号入出力端子を形成し，しかもこの信号入出力端子を２組備えた例が示されているが，引込み線（入力用及び出力用）の本数に応じて備えさせればよい。また，前記外部信号入出力端子と内部信号入出力端子の接続方法として同軸ケーブルを用いた例を示したが，特にこの実施形態に限定されるものではなく，特性インピーダンス＝７５Ωで良好な伝送特性を得られるなら他の実施形態で構成しても良いことはいうまでもない。
【００１７】
次に，本発明の第１実施形態に係る直列ユニット１０について説明する。この実施形態における直列ユニット１０は，ユニット本体１０ａの前方側にアウトレット端子１１を露出するように略中間部に凹部１２ａを備えた端子台１２が装着されている。そしてユニット本体１０ａの背面には，前方側に配置した前記アウトレット端子１１の軸線に略平行な軸線方向に向かって，前記ユニット本体１０ａの背面から後方側に突出するように設けられた２つの信号入出力端子１３及び１６を備えている。この信号入出力端子１３及び１６は同軸コネクタからなり，その特長はその配列と間隔にある。即ち，本発明の第１実施形態における前記信号入出力端子１３及び１６の配列及び間隔は，前記アウトレットボックス２０に設けられた前記内部信号入出力端子２３及び２６の配列及び間隔に対応するように設けられており，当該直列ユニット１０の前記信号入出力端子１３及び１６は，前記内部信号入出力端子２３及び２６に対して，夫々摺動操作によって挿抜自在に固着するように構成されている。
【００１８】
ここで，アウトレットボックス２０と直列ユニット１０の具体的な組み付け方法を説明する。先ず，入力用同軸ケーブル３２とアウトレットボックス２０の外部信号入出力端子２２及び出力用同軸ケーブル３５とアウトレットボックス２０の外部信号入出力端子２５を接続すると共に，アウトレットボックス２０を壁面に設置する。
次に，直列ユニット１０を取付枠１５に取り付けるのであるが，この取付方法は例えば直列ユニット１０に備え付けられた端子台１２を取付枠１５に嵌め込んで着脱自在となるように挟持することで行われる。次に，直列ユニット１０の信号入出力端子１３及び１６をアウトレットボックス２０に設けられた内部信号入出力端子２３及び２６に挿入装着すると共に，前記直列ユニット１０が組み付けられた取付枠１５を，螺子１７を使ってアウトレットボックス２０の図には示されていないネジ孔に固定する。
更に，このようにアウトレットボックス２０に組み付けられた取付枠１５に対して，その前面側からプレート枠４１を取り付ける。この取付方法は例えば取付枠１５に形成されたネジ孔１５ａ及び１５ａに対して，プレート枠４１に形成された挿通孔４５ａを介して螺子４５を螺合することによって行われる。そして，プレート枠４１の取り付けが終わったなら，当該プレート枠４１に形成された嵌合孔４６に対して，プレート枠４１の前面側からプレート本体４２に形成された嵌合爪４７を嵌入することによって，プレート本体４２はプレート枠４１に対して着脱自在に固着する。
このように組み付ければ，直列ユニット１０はアウトレットボックス２０に正しく接続・収納されると共に，アウトレット端子１１がプレート本体４２に形成された角孔４３から露出するようにしてアウトレットボックス２０の前方側開口部２９はプレート４０によって閉塞されて取り付けが完了する。尚，前記プレート枠４１と前記プレート本体４２とでプレート４０を構成している。
【００１９】
以上，本発明に係る第１実施形態によると，アウトレットボックス２０には同軸コネクタで構成された外部信号入出力端子２２（及び２５）と，同軸プラグで構成された内部信号入出力端子２３（及び２６）とからなる一対の信号入出力端子を２組備えさせると共に，２つの内部信号入出力端子２３及び２６の配列間隔を所定寸法となるように配置しておき，また，直列ユニット１０には，そのユニット本体１０ａの背面側に前記２つの内部信号入出力端子２３及び２６の配列に対応するように形成された同軸コネクタで構成された信号入出力端子１３及び１６を備えさせたことによって，アウトレットボックス２０に対する直列ユニット１０の組み付けは，前記内部信号入出力端子２３及び２６に対して直列ユニット１０の信号入出力端子１３及び１６を夫々摺動操作によって挿入するだけの簡単な手順で行われ，このため直列ユニット１０はアウトレットレットボックス２０に対して簡単且つ素早く挿抜自在に固着することができるのである。
つまり，このテレビ信号引込み具１によれば，直列ユニット１０はアウトレットボックス２０に対して簡単に取り付けができるばかりでなく，従来技術のように入力用同軸ケーブルや出力用同軸ケーブルをアウトレットボックス２０に収納する処理も必要がないことから，余長ケーブルの処理に無駄な時間を要しないし，また，無理に収納することによって同軸ケーブルが有する最小曲げ半径の規格を超えて曲がり過ぎて，同軸ケーブルの伝送特性に悪影響を与えてしまうといた問題も解決でき，優れた伝送性能を有したテレビ信号引込み具１を提供できる。
尚，本発明の第１実施形態に係るテレビ信号引込み具１は，前記内部信号入出力端子２３及び２６を縦方向に配列した例を示したが，内部信号入出力端子２３及び２６の間隔が所定の寸法であれば，この実施形態に限定されるものではなく，例えば横方向に配列いてもよいなど配列方向は問わない。また，前記内部信号入出力端子２３及び２６を線対称になるように配列した例を示したが，直列ユニット１０の接続間違いを防止するために線対称でないような配列してもよい。
【実施例２】
【００２０】
次に，図４を用いて本発明の第２実施形態に係るテレビ信号引込み具１について説明する。この実施形態と上記第１実施形態に違いは，プレート４０を構成するプレート枠４１の組み付け方法である。
この第２実施形態におけるプレート枠４１の組み付けは，第１実施形態のような前記螺子４５及び４５でもって取付枠１５に螺合する方法ではなく，アウトレットボックス２０の箱体２１に直接取り付けるように構成されている。
具体的には，プレート枠４１には，前記アウトレットボックス２０との係合手段としての係止爪４８を所定の位置に形成しておき，アウトレットボックス２０には，前記プレート枠４１を当該アアウトレットボックス２０に取り付けたときに，前記係止爪４８に対応して係合する係合部２８を，前記アウトレットボックス２０の左右の側辺２１ｄ及び２１ｅに形成しておくように構成されている。
即ち，上記第１実施形態に詳述したような手順で，取付枠１５に直列ユニット１０を組み付け，更に直列ユニット１０が組み付けられた前記取付枠１５を前記アウトレットボックス２０に螺子１７で組み付けた状態において，前記プレート枠４１の係止爪４８をアウトレットボックス２０に形成された係合部２８に係合するようにして装着することによって，プレート枠４１はアウトレットボックス２０に固着されるのである。そして，このように組み付けられたプレート枠４１に対してプレート本体４２を上述したように嵌入することによってテレビ信号引込み具１の取り付けが完了する。
この第２実施形態によれば，上記第１実施形態に比べ，プレート枠４１の組み付けが螺子を使って組み付けを必要としないので，更に効率よくテレビ信号引き込む具の組み付け作業を行うことができるようになる。
【実施例３】
【００２１】
次に，図５を用いて本発明の第３実施形態に係るテレビ信号引込み具１について説明する。この第３実施形態と上記第１実施形態及び第２実施形態との違いはプレートの構成である。
この実施形態におけるプレート５０の特長は，プレート枠４１とプレート本体４２の２つの部材から構成されたものではなく，直列ユニット１０に備えられた端子台１２とプレート５０が一体若しくは一体的に形成されたところにある。つまり，第１実施形態及び第２実施形態のようにプレート４０及び取付枠１５を夫々別々に組み付ける方法ではなく，プレート５０は端子台１２と一体若しくは一体的に備えられていると共に，前記第２実施形態と同様に，プレート５０にはアウトレットボックス２０に対する係合手段としての係止爪４８が形成されているのである。
そのため直列ユニット１０の組み付けは，前記内部信号入出力端子２３及び２６に対して直列ユニット１０の信号入出力端子１３及び１６を夫々摺動操作によって挿入しつつ，前記プレート５０に形成された係止爪４８をアウトレットボックス２０に形成された係合部２８に係合するようにして装着するだけの簡単な手順で行われることから，上記第１及び第３実施形態に比べ極めて簡単にテレビ信号引き込む具の組み付け作業を行うことができるようになるのである。しかも取付枠やプレートと端子台を一体若しくは一体的に形成したことから部品点数の削減，延いては製品のコストダウンが図れる。
尚，本発明は，本発明の趣旨を逸脱しない範囲で各部の構成を適宜に変更して実施することも可能である。
例えば，前記第１及び第２実施形態では，従来技術で用いる取付枠１５とプレート４０を使用できるように，前記直列ユニット１０は取付枠１５に着脱自在に挟持される例を示したが，本発明の実施形態では，直列ユニット１を内部信号入出力端子２３及び２６に摺動固着すれば直列ユニット１０はアウトレットボックスに保持されることから，本発明の第１及び第２実施形態では前記取付枠１５はなくても良いし，前記プレート枠４１と一体的になるように構成しても良く，例えば，前記プレート本体４２でもって閉塞することによって，前記直列ユニット１０が内部信号入出力端子２３及び２６から脱落するのを防止するようにしておけばよい。
【符号の説明】
【００２２】
１…テレビ信号引込み具，１０…直列ユニット，１０ａ…ユニット本体，１１…アウトレット端子，１２…端子台，１２ａ…凹部，１３…信号入出力端子，１５…取付枠，１６…信号入出力端子，１７…螺子，１７ａ…ネジ孔，１８…，１９…，２０…アウトレットボックス，２１…箱体，２１ａ…背面，２１ｂ…上側側辺，２１ｃ…下側側辺，２１ｄ…左側側辺，２１ｅ…右側側辺，２２…外部信号入出力端子，２２ａ…芯線，２３…内部信号入出力端子，２３ａ…芯線，２４…溝部，２４ａ…貫通孔，２４ｂ…凹部，２５…外部信号入出力端子，２５ａ…芯線，２６…内部信号入出力端子，２６ａ…芯線，２７…溝部，２７ｂ…凹部，２７ａ…貫通孔，２８…係合部，２９…開口部，３２…入力用同軸ケーブル，３２ａ…同軸接栓，３５…出力用同軸ケーブル，３５ａ…同軸接栓，４０…プレート，４１…プレート枠，４２…プレート本体，４３…角孔，４５…螺子，４５ａ…ネジ孔，４６…嵌合孔，４７…嵌合爪，４８…係止爪（係止手段），５０…プレート。
【図１】
2010239347.tif 000003
【図２】
2010239347.tif 000004
【図３】
2010239347.tif 000005
【図４】
2010239347.tif 000006
【図５】
2010239347.tif 000007
【図６】
2010239347.tif 000008